(57)【特許請求の範囲】
【請求項１】
液晶ディスプレイ等の表示画面と、
前記表示画面に大きく割り当てられたメイン画面領域に、感知器等の各種センサ及び防災制御機器を含む防災端末の機器シンボルを示した監視対象の地図を表示する第１表示制御部と、
前記表示画面の隅等の所定位置に前記メイン画面領域よりも小さく割り当てられたサブ画面領域に、前記地図を縮小して表示する第２表示制御部と、
を備えた防災表示装置に於いて、
前記サブ画面領域に縮小表示する前記地図から、定常時には全ての機器シンボルを削除し、前記防災端末の状態が変化した場合は、現在状態変化中の防災端末の機器シンボルを残して状態の変化していない防災端末の機器シンボルを削除するシンボル処理部を設けたことを特徴とする防災表示装置。
【請求項２】
請求項１記載の防災表示装置に於いて、前記シンボル処理部は、前記サブ画面領域に表示されている機器シンボルに対応した防災端末の状態変化が停止した場合、あるいは確認操作を行った場合、前記サブ画面領域に縮小表示する前記地図から、その機器シンボルを定常時の色に変化させた後に削除することを特徴とする防災表示装置。
【請求項３】
請求項１記載の防災表示装置に於いて、前記シンボル処理部は、前記サブ画面領域に縮小表示する前記地図から、火災発報中の感知器の感知器シンボルのみを残して他の機器シンボルを削除し、前記火災発報が停止した場合は前記感知器シンボルを削除することを特徴とする防災表示装置。
【請求項４】
請求項３記載の防災表示装置に於いて、前記シンボル処理部は、複数の感知器が火災発報中の場合、前記サブ画面領域に表示する前記地図から発報の早い順に予め定めた数の感知器シンボルを残して他の機器シンボルを削除することを特徴とする防災表示装置。
【請求項５】
液晶ディスプレイ等の表示画面と、
前記表示画面に大きく割り当てられたメイン画面領域に、感知器等の各種センサ及び防災制御機器を含む防災端末の機器シンボルを示した監視対象の地図を表示する第１表示制御部と、
前記表示画面の隅等の所定位置に前記メイン画面領域よりも小さく割り当てられたサブ画面領域に、前記地図を縮小して表示する第２表示制御部と、
を備えた防災表示装置の表示制御方法に於いて、
前記サブ画面領域に縮小表示する前記地図から、定常時には全ての機器シンボルを削除し、前記防災端末の状態が変化した場合は、現在状態変化中の防災端末の機器シンボルを残して状態の変化していない防災端末の機器シンボルを削除することを特徴とする防災表示装置の表示制御方法。
【発明の詳細な説明】
【技術分野】
【０００１】
本発明は、火災信号等の防災情報を受けて表示画面上に防災端末機器のシンボルを示した地図を表示する防災表示装置及び表示制御方法に関する。
【背景技術】
【０００２】
従来、この種の防災表示装置は、液晶ディスプレイ等の表示画面上に火災感知器やガス漏れ警報器などの各種防災端末をシンボル表示した地図を表示し、防災受信機等より入力された火災信号等の防災情報信号に応じて感知器シンボルを監視時の青色から赤色に変化させて点灯又は点滅表示している。
【０００３】
また防災表示装置には地図等を拡大／縮小する機能が設けられており、例えば火災発報した感知器シンボルの表示中に、画面の拡大操作ボタンをマウスクリックなどにより操作すると、発報中の感知器シンボルを含む地図の一部分が拡大表示され、火災発生地区の詳細を確認することができる。
【０００４】
更に、地図を表示している画面の片隅にメインの画面領域よりも小さなサブ画面領域を配置し、このサブ画面領域には、メインの画面領域に例えば発報中の感知器シンボルを含む地図の一部分を拡大表示している場合には、地図全体がサブ画面領域に収まるように縮小して表示し、地図の中で拡大表示する発報中の感知器シンボルを含む部分が地図全体の中のどの位置であるかが分かるようにしている。
【特許文献１】特開平１１−７５９２号公報
【発明の開示】
【発明が解決しようとする課題】
【０００５】
しかしながら、このような従来のメイン画面領域に表示している地図を縮小してサブ画面領域に表示する防災表示装置にあっては、メイン画面領域に表示する地図全体を防災機器のシンボルと共に縮小表示してサブ画面領域に納めていたため、防災端末の機器シンボルは縮小されてかなり小さくなり、また火災感知器や防排煙ダンパといった多種類の機器シンボルが同一画面に配置されているため、縮小表示しているサブ画面領域で火災発報中の感知器シンボルをカラー点灯又は点滅表示しても、小さすぎて見分けづらく、サブ画面領域の地図から発報している感知器シンボルの確認が困難になるという問題がある。
【０００６】
本発明は、メイン画面領域に表示している機器シンボルを示した地図を小さなサブ画面領域に縮小表示しても、火災発報などの現在状態変化中の機器シンボルを視認しやすくする防災表示装置装置及び表示制御方法を提供することを目的とする。
【課題を解決するための手段】
【０００７】
（装置）
本発明は防災表示装置を提供する。即ち、本発明は、
液晶ディスプレイ等の表示画面と、
表示画面に大きく割り当てられたメイン画面領域に、感知器等の各種センサ及び防災制御機器を含む防災端末の機器シンボルを示した地図を表示する第１表示制御部と、
表示画面の隅等の所定位置にメイン画面領域よりも小さく割り当てられたサブ画面領域に、地図を縮小して表示する第２表示制御部と、
を備えた防災表示装置に於いて、
サブ画面領域に縮小表示する地図から、定常時には全ての機器シンボルを削除し、防災端末の状態が変化した場合は、現在状態変化中の防災端末の機器シンボルを残して状態の変化していない防災端末の機器シンボルを削除するシンボル処理部を設けたことを特徴とする。
【０００８】
ここで、シンボル処理部は、サブ画面領域に表示されている機器シンボルに対応した防災端末の状態変化が停止した場合、あるいは確認操作を行った場合、サブ画面領域に縮小表示する地図から、その機器シンボルを定常時の色に変化させた後に削除する。
【０００９】
シンボル処理部は、サブ画面領域に表示する地図から、火災発報中の感知器の感知器シンボルを残して他の機器シンボルを削除し、火災発報が停止した場合は、停止した感知器シンボルを削除する。
【００１０】
シンボル処理部は、複数の感知器が火災発報中の場合、サブ画面領域に表示する地図から、発報の早い順に予め定めた数の感知器シンボルを残して他の機器シンボルを削除する。
【００１１】
（表示制御方法）
本発明は防災表示装置の表示制御方法を提供する。即ち、本発明は、
液晶ディスプレイ等の表示画面と、
表示画面に大きく割り当てられたメイン画面領域に、感知器等の各種センサ及び防災制御機器を含む防災端末の機器シンボルを示した監視対象の地図を表示する第１表示制御部と、
表示画面の隅等の所定位置にメイン画面領域よりも小さく割り当てられたサブ画面領域に、地図を縮小して表示する第２表示制御部と、
を備えた防災表示装置の表示制御方法に於いて、
サブ画面領域に縮小表示する地図から、定常時には全ての機器シンボルを削除し、防災端末の状態が変化した場合は、現在状態変化中の防災端末の機器シンボルを残して状態の変化していない防災端末の機器シンボルを削除することを特徴とする。
【発明の効果】
【００１２】
本発明によれば、メイン画面に表示している機器シンボルを示した地図をサブ画面領域に縮小して表示する際には、現在状態変化中の機器シンボルを残し、それ以外の機器シンボルは削除するようにしたため、サブ画面領域には、例えば現在火災発報中の感知器シンボルが表示され、それ以外の各種防災端末の機器シンボルは表示されず、小さい画面領域の縮小表示であっても、現在火災発報中の感知器シンボルを明瞭に視認することができ、サブ画面の表示を見て例えば地図中の火災発報場所を適確に捉えることができる。
【発明を実施するための最良の形態】
【００１３】
図１は防災監視システムと共に本発明による防災表示装置の実施形態を示したブロック図である。図１において、防災受信盤１０からは監視対象とする建物の各階などの警戒区域に向けて伝送路１１が引き出され、伝送路１１に各種の防災端末機器を接続している。
【００１４】
この例では伝送路１１に各種センサとして、中継器１４を介してアナログ煙感知器１６を接続し、また中継器機能を備えたアナログ煙感知器２０、中継器機能を備えたアナログ熱感知器２２、更に伝送路１１に対し光電式分離型煙感知器２４を接続している。光電式分離型煙感知器２４は発光部２４ａと受光部２４ｂで構成され、両者の間の空間に発光部２４ａからの光を照射し、煙により減衰した光を受光部２４ｂで検出し、火災を判断する。
【００１５】
また伝送路には各種防災制御機器として、中継器１４を介して防排煙ダンパ１７、地区音響警報装置１８及び防火戸２１を閉鎖作動させるラッチレリーズ１９を接続している。
【００１６】
防災受信盤１０に対しては本実施形態の防災表示装置１２が設けられる。防災表示装置１２はコントローラ２６を有し、コントローラ２６に対し液晶ディスプレイ２８、キーボート３０、マウス３２、プリンタ３４、建物内を監視するＩＴＶカメラ３６、更に火災警報などの音声警報出力を行うスピーカ３８を設けている。
【００１７】
防災表示装置１２のコントローラ２６には、データベース４５が設けられると共に、コンピュータによるプログラム実行により実現される機能として第１表示制御部４０、第２表示制御部４２及びシンボル制御処理部４４の機能が設けられている。
【００１８】
防災表示装置１２のコントローラ２６は図２に示すハードウェア構成を備えている。図２のコントローラ２６はＣＰＵ４６を備え、ＣＰＵ４６のバス４８に対しＲＡＭ５０、ＲＯＭ５２、シリアルインタフェース５４、ハードディスクドライブ５６を接続し、シリアルインタフェース５４に対しては防災受信盤１０が接続されている。
【００１９】
またコントローラ２６の外部に設けている液晶ディスプレイ２８、キーボード３０、マウス３２、プリンタ３４、ＩＴＶカメラ３６及びスピーカ３８についてはそれぞれ専用のインタフェース５８、６０、６２、６４、６６、６８を介してＣＰＵ４６のバス４８に接続している。このように防災表示装置のコントローラ２６はコンピュータのハードウェア環境として実現されている。
【００２０】
再び図１を参照するに、データベース４５には、防災受信盤１０の監視対象となる警戒区域の地図データ及び各種センサと防災制御機器の設置場所を示すシンボルデータが登録され、管理されている。
【００２１】
第１表示制御部４０は例えば図３（Ａ）に示す表示画面７０に大きく割り当てられたメイン画面領域７２に防災受信盤１０に対し接続している各種防災機器の機器シンボルを示した建物の平面レイアウトを示す地図７６を表示すると共に、地図７６の一部分を拡大する場合にはメイン画面領域７２に拡大部分を表示する。
【００２２】
図３（Ａ）の表示画面７０にあっては、ある階の地図を拡大状態で表示しており、地図７６には防災端末の機器シンボルとして感知器シンボル７８−１〜７８−６及び防排煙ダンパシンボル８０−１〜８０−６が表示されている。
【００２３】
図１の防災表示装置１２のコントローラ２６に設けた第２表示制御部４２は、図３（Ａ）の表示画面７０における例えば右隅下側の位置に小さく割り当てられたサブ画面領域７４に、現在メイン画面領域７２に表示している地図７６の全体図を縮小して縮小全体図８６として表示している。
【００２４】
更に図１の防災表示装置１２のコントローラ２６に設けたシンボル制御処理部４４にあっては、図３（Ａ）のサブ画面領域７４に表示する地図７６の全体図である縮小全体図８６に、火災発報やガス漏れ警報や感知器機能異常などの現在状態変化中の機器シンボルのみを残し、状態の変化していない防災端末機器のシンボルは削除した状態で表示させる。
【００２５】
図３（Ａ）の場合にはメイン画面領域７２の地図７６の中の感知器シンボル７８−１が防災受信機１０から火災信号を受信して火災発報中であることが判別されており、この火災発報中の感知器シンボル７８−１については通常時はシンボル色として例えば青色に表示していたものを、火災発報中はシンボル色を赤色に変更して点灯又は点滅させ、火災発報中であることを表示する。
【００２６】
一方、サブ画面領域７４に表示している縮小全体図８６にあっては、図１のシンボル制御処理部４４による処理でメイン画面領域７２の地図７６の中の現在火災発報中である感知器シンボル７８−１のみが発報感知器シンボル８８として縮小全体図８６の中に表示されており、それ以外の地図７６における機器シンボル、即ち非発報中の感知器シンボル７８−２〜７８−６及び作動していない防排煙ダンパシンボル８０−１〜８０−６は削除され、縮小全体図８６には表示されない。
【００２７】
図３（Ｂ）はサブ画面領域７４に地図７６のシンボルを削除せずにそのまま縮小表示した本発明の従来技術に相当する縮小全体図８９の表示状態を示している。このようにサブ画面領域７４にメイン画面領域７２の地図７６に示している機器シンボルを全てそのまま残して縮小した縮小全体図８９を表示した場合には、メイン画面領域７２の地図７６はかなり縮小され、そこに示しているシンボルもかなり小さくなり、しかも多数の機器シンボルが縮小されて集まっていることから、その中に現在発報中の感知器シンボル７８−１に対応した発報中感知器シンボル８８が存在しても、発報感知器シンボル８８の全体における位置は極めてわかりにくい状態となっている。
【００２８】
このような図３（Ｂ）の従来の技術に相当するサブ画面領域７４の表示に対し、図３（Ａ）に示している本実施形態によるサブ画面領域の縮小全体図８６にあっては、発報感知器シンボル８８以外の他のシンボルは表示されないため、縮小全体図８６をみて他のシンボルの表示に邪魔されることなく、発報感知器シンボル８８の位置が簡単且つ容易にわかり、地図７６に全体に示す火災発報位置を適切に把握することができる。
【００２９】
図４は、本実施形態における地図データファイルから地図画像及び縮小地図画像を生成して表示する画像表示処理を示した説明図である。
【００３０】
図４において、地図データファイル９０は図１の防災表示装置１２に設けたコントローラ２６のデータベース４５に格納されており、例えば建物の階別に２次元ＣＡＤデータとして作成され登録されている。
【００３１】
地図データファイル９０は、ヘッダ９２、地図データ９４及びシンボルデータ群９６で構成されている。ヘッダ９２には警戒区域の建物と階などを特定する識別子が格納される。地図データ９４は監視対象となる建物のレイアウトを示した２次元ＣＡＤデータである。
【００３２】
シンボルデータ群９６には、図１の防災監視システムに設置している感知器を含む各種センサ及び防排煙ダンパなどの各種防災制御機器のシンンボルデータ９６−１〜９６−ｎが格納されている。
【００３３】
シンボルデータ９６−１〜９６−ｎの各々には、例えば、シンボル識別子を含むシンボル名、地図の座標位置、シンボル図形データ、通常時の表示色、火災時また作動時の表示色といった情報が格納されている。
【００３４】
図３（Ａ）のように、表示画面７６のメイン画面領域７２に地図７６及び縮小全体図８６を表示する場合には、例えば火災発生に対応して図２のハードディスクドライブ５６のデータベース４５から火災発生場所の地図データファイル９０をＲＡＭ５０に読出し、ＲＡＭ９０上で図４のような画像表示のための画像データを生成する。
【００３５】
まず、表示画面７０のメイン画面領域に表示する地図７６については、地図データファイル７６から地図データ９４を読み出してレイアウトレイヤ９８に地図を配置する。またシンボルデータ群９６から全てのシンボルデータ９６−１〜９６−ｎを読出し、シンボルレイヤ１００に配置する。
【００３６】
このとき感知器シンボルについては、監視時のシンボル色である青色で設定するが、火災発報した感知器シンボルについては、表示色を監視時の青色から赤色に変化させ且つ赤色の点滅とする。続いてレイアウトレイヤ９８とシンボルレイヤ１００を重ね合わせた合成レイヤ１０２を生成し、これを表示画面７０に地図７６として表示し、必要に応じて拡大又は縮小して表示する。
【００３７】
一方、表示画面７０のサブ画面領域７４に表示する縮小全体図８６については、シンボル制御処理部４４によりシンボルデータ群９６からシンボルデータ９６−１〜９６−ｎを読出してシンボルレイヤ１０６に配置する際に、火災発報しているシンボルデータ、例えばシンボルデータ９６−１のみを読出して配置し、表示色を監視時の青色から赤色に変化させ且つ赤色の点滅とする。
【００３８】
続いてレイアウトレイヤ９８とシンボルレイヤ１０６を重ね合わせた合成レイヤ１０８を生成し、更に縮小処理１１０により縮小して表示画面７０のサブ画面領域７４に縮小全体図８６として表示する。
【００３９】
サブ画面領域７４には異常端末全てを表示しても良いし、優先順位を設定して限られた端末数のみ表示しても良い。たとえば、異常を検出した順に複数個分の感知器のみを表示させるようにしても良い。また、表示した異常検出端末と連動関係が設定された防火戸などの制御機器のシンボルは同時に表示するようにして連動関係が明確に判るように設定しても良い。
【００４０】
また火災発報していた感知器が復旧した場合には、シンボル制御処理１０４により火災発報していたシンボルデータ９６−１のシンボルレイヤ１０６への読出し配置を停止し、これによってシンボルレイヤ１０６から感知器シンボルが消去され、シンボルのない縮小全体図８６の表示に切り替わる。
【００４１】
なお、図３（Ａ）のような地図は火災など異常が無い定常時にも表示することはできるが、定常時においては、サブ領域画面７４にも従来図（Ｂ）のように全てのシンボルを表示しても良いし、全てのシンボルを表示しないように設定しても良い。
【００４２】
図５は本実施形態による防災表示処理を示したフローチャートである。図１の防災監視システムに設けている防災表示装置１２は、通常の監視状態にあっては、ステップＳ１で液晶ディスプレイ２８に例えばスクリーンセーバーなどの待機画面表示した待機表示動作としている。
【００４３】
もちろん待機動作表示の状態でオペレータがキーボートなどのエンター動作やマウス操作を行うと、待機表示動作の画面から初期画面であるメニュー画面に切り替わり、メニュー画面に切り替わった中から適宜のメニューを選択してハードディスクドライブ５６に格納されている各種の情報についての表示を行うことができる。
【００４４】
一方、ステップＳ１の待機動作表示の状態で防災受信盤１０より火災信号が送られ、ステップＳ２で火災発報を判別するとステップＳ３に進み、火災発生階の地図を図３（Ａ）に示す表示画面７０のメイン画面領域７２に表示し、併せて現在発報中の感知器シンボルを例えば感知器シンボル７８−１のように通常時の非発報色（青色）から発報色（赤色）に変更して点滅させ、地図の中の火災発生場所を示す。
【００４５】
続いてステップＳ４でサブ画面領域７４に現在火災発報中の感知器シンボルのみを残して地図全体を縮小全体図８６として縮小表示する。続いてステップＳ５で表示画面７０に設けている拡大キー８２のマウスクリックなどによる拡大動作ありを判別するとステップＳ６に進み、例えば発報中の感知器シンボル７８−１を中心にメイン画面領域７２に地図７６を拡大表示する。尚、拡大動作は例えば拡大キー８２を１回操作すると２倍、２回操作すると４倍というように段階的に拡大操作することが可能である。
【００４６】
続いてステップＳ７で拡大操作に伴うメイン画面領域７２における地図７６の拡大表示に対し、サブ画面領域７４については拡大操作に依存することなくステップＳ４で表示した火災発報の発報感知器シンボル８８のみを残した地図の縮小全体図８６を継続して縮小表示している。
【００４７】
続いてステップＳ８で表示画面７０に設けている縮小キー８４のマウスクリックなどによる操作ありを判別するとステップＳ９に進み、メイン画面領域７２に現在の地図７６を縮小表示する。
【００４８】
この縮小操作は拡大キー８２の操作後であれば、拡大地図は縮小キー８４の操作で元のサイズに地図が戻ることになる。また拡大前の地図の表示状態で縮小キー８４の操作を判別した場合には、例えば火災発生階の地図７６に加え、その隣接する上下の階の地図をメイン画面領域７２に例えば３つ並べて表示する縮小表示を行う。
【００４９】
続いてステップＳ１０にあってはメイン画面領域７２の縮小表示に対し、サブ画面領域７４についてはステップＳ４で表示していると同じ画面をそのまま表示している。即ちサブ画面領域７４には火災発報中の感知器シンボル７８−１を残して地図全体を縮小した縮小全体図８６を表示している。
【００５０】
続いてステップＳ１１で火災発報停止か否かチェックしており、防災受信盤１０からの火災異報信号がなくなると火災発報停止が判別されステップＳ１２に進み、メイン画面領域７２の地図７６に表示している感知器シンボル７８−１の発報色（赤色）を非発報色（青色）に戻す。
【００５１】
更にステップＳ１３でサブ画面領域７４の縮小全体図８６の中に表示している発報感知器シンボル８８を消去（削除）する。この火災発報停止判別に伴う処理が終了すると，ステップＳ２に戻り、次の火災発報をステップＳ１の待機表示動作を行いながら待つことになる。
【００５２】
また防災受信盤１０から防災表示装置１２に対しては第１報目の火災予報信号に続いて、第２報目、第３報目と連続的に複数の発報の異報信号を送ってくる場合がある。このように複数の火災発報が判別された場合には、ステップＳ２で火災発報を判別するごとにメイン画面領域７２に表示している地図７６の中に第１報目、第２報目、第３報目というように、発報中の感知器シンボルを発報色に変更して発報表示するが、サブ画面領域７４については予め定めた数までの発報感知器シンボルのみを表示するようにする。
【００５３】
このサブ画面領域７４の縮小全体図８６に表示する発報感知器シンボルの数は例えば３つまでとする。もちろんサブ画面領域７４に表示する感知器シンボルの数は２つであってもよいし、１つであってもよく複数表示しても見づらくならない範囲で発報シンボルの数の表示数を決めればよい。
【００５４】
尚、上記の実施形態にあっては、状態が変化したシンボルとして感知器シンボルを例に取るものであったが、防排煙ダンパなどの制御機器のシンボルについても、感知器シンボルと同様、例えば防排煙ダンパを作動して状態が変化した場合、サブ画面領域に表示する縮小地図の中に、状態が変化したシンボルとして、作動中の防排煙ダンパのシンボルのみを表示させることになる。
【００５５】
また、上記の実施形態にあっては、防災表示装置は防災受信盤と別に用意した装置であったが、防災受信盤の表示装置で本発明を実施するようにしても良い。
【００５６】
また、上記の本実施形態はメイン画面領域に表示する地図の拡大表示や縮小表示できる装置であったが、これに限定されずメイン画面領域に表示する地図をスクロールすることができ、併せてサブ画面領域に全体縮小図が表示される表示形態の防災表示装置であっても本発明を適用できる。メイン画面領域とサブ画面領域が完全に同一領域を表示するものであって、表示倍率が相違して表示する防災表示装置であっても本発明を適用できる。
【００５７】
また、上記の実施形態にあっては、感知器が火災発報停止となった場合にサブ画面領域からシンボルを削除するようにしたが、これに限らず、警備員が発報した感知器を現場に行って状況確認し、防災表示装置で発報感知器の確認済み操作をしたときに、表示を削除するようにして良い。
【００５８】
また本発明はその目的と利点を損なうことのない適宜の変形を含み、上記の実施形態に示した数値による限定は受けない。
【図面の簡単な説明】
【００５９】
【図１】防災監視システムと共に本発明による防災表示装置の実施形態を示したブロック図
【図２】本実施形態における防災表示装置のハードウェア構成を示したブロック図
【図３】本実施形態による表示画面を従来表示と対比して示した説明図
【図４】本実施形態における地図データファイルから地図画像及び縮小地図画像を生成して表示する画像表示処理を示した説明図
【図５】本実施形態による防災表示処理を示したフローチャート
【符号の説明】
【００６０】
１０：防災受信盤
１１：伝送路
１２：防災表示装置
１４：中継器
１６，２０：アナログ煙感知器
１７：防排煙ダンパ
１８：地区音響警報装置
１９：ラッチレリーズ
２１：防火戸
２２：アナログ熱感知器
２４：光電式分離型煙感知器
２６：コントローラ
２８：液晶ディスプレイ
３０：キーボード
３２：マウス
３４：プリンタ
３６：ＩＴＶカメラ
３８：スピーカ
４０：第１表示制御部
４２：第２表示制御部
４４：シンボル制御処理部
７０：表示画面
７２：メイン画面領域
７４：サブ画面領域
７６：地図
７８−１〜７８−６：感知器シンボル
８０−１〜８０−６：防排煙ダンパシンボル
８２：拡大キー
８４：縮小キー
８６：縮小全体図
８８，８９：発報感知器シンボル
９０：地図データファイル
９２：ヘッダ
９４：地図データ
９６：シンボルデータ群
９６−１〜９６−ｎ：シンボルデータ
９８：レイアウトレイヤ
１００，１０６：シンボルレイヤ
１０２，１０８：合成レイヤ
１０４：シンボル制御処理
１１０：縮小処理
【図１】
0004999170.tif 000002
【図２】
0004999170.tif 000003
【図３】
0004999170.tif 000004
【図４】
0004999170.tif 000005
【図５】
0004999170.tif 000006